(57)【要約】  映像信号処理装置において、ホストＣＰＵ３００は、自己の負荷が低いタイミング、例えば電源投入時において、記憶テーブル３０７に対して多数のパラメータを設定する。その後、ホストＣＰＵ３００は、自動設定制御部３０６の機能を有効にし、自動設定開始を自動設定制御部３０６に通知する。これにより、自動設定制御部３０６は、前記記憶テーブル３０７から複数のクロック設定パラメータを読み込み、クロック生成部３０４でのクロック設定及びＰＬＬ発振の安定待ちを行い、次いで、前記記憶テーブル３０７から複数の信号処理パラメータを読み込んでビデオ信号処理部３０５に設定する。従って、ビデオ信号処理部やクロック生成回路を入力映像信号のビデオ信号フォーマットに沿って動作させるに際し、ホストＣＰＵにかかる負荷を低減しつつ、多数の設定パラメータを前記ビデオ信号処理部等に設定して、出画時間の短縮が図られる。
2010086914.tif 000002
【特許請求の範囲】
【請求項１】
映像信号源から映像信号を受け、受けた映像信号に対して所定処理を行う信号処理部を備えた映像信号処理装置において、
前記受けた映像信号の映像信号フォーマットに対応して前記所定処理を行うための複数のパラメータを記憶する記憶部と、
前記記憶部に記憶された複数のパラメータを読み出して前記信号処理部に設定するパラメータ自動設定部とを備えた
ことを特徴とする映像信号処理装置。
【請求項２】
前記請求項１記載の映像信号処理装置において、
前記受けた映像信号の映像信号フォーマットに対応したクロック信号を生成するクロック生成部を有し、
前記記憶部は、前記受けた映像信号の映像信号フォーマットに対応したクロック信号を生成するための複数のパラメータをも記憶し、
前記パラメータ自動設定部は、前記記憶部に記憶された前記クロック信号生成用の複数のパラメータを読み出して前記クロック生成部に設定する
ことを特徴とする映像信号処理装置。
【請求項３】
前記請求項１又は２記載の映像信号処理装置において、
前記映像信号処理部は、ＨＤＭＩ規格に従って受けた映像信号に対して所定処理を行う
ことを特徴とする映像信号処理装置。
【請求項４】
前記請求項１〜３の何れか１項に記載の映像信号処理装置と、
前記映像信号処理装置に接続され、前記映像信号処理装置の記憶部に前記複数のパラメータを出力して記憶させるホストＣＰＵとを備えた
ことを特徴とする映像信号処理システム。
【請求項５】
前記請求項４記載の映像信号処理システムにおいて、
前記映像信号処理装置とホストＣＰＵとは、シリアルバスで接続される
ことを特徴とする映像信号処理システム。
【請求項６】
前記請求項４記載の映像信号処理システムにおいて、
前記ホストＣＰＵは、その負荷が小さいときに、前記記憶部に対して前記複数のパラメータを出力して記憶させる
ことを特徴とする映像信号処理システム。
【請求項７】
前記請求項６記載の映像信号処理システムにおいて、
前記ホストＣＰＵの負荷が小さいときは、電源投入時である
ことを特徴とする映像信号処理システム。
【請求項８】
前記請求項６又は７記載の映像信号処理システムにおいて、
前記ホストＣＰＵは、前記記憶部に対して前記複数のパラメータを出力して記憶させた後、前記パラメータ自動設定部にパラメータの自動設定の開始を指示する
ことを特徴とする映像信号処理システム。
【請求項９】
前記請求項１記載の映像信号処理装置において、
前記記憶部は、不揮発性メモリを含む
ことを特徴とする映像信号処理装置。
【請求項１０】
前記請求項１記載の映像信号処理装置において、
前記記憶部は、記憶テーブルを含み、前記記憶テーブルは１面存在する
ことを特徴とする映像信号処理装置。
【請求項１１】
前記請求項１記載の映像信号処理装置において、
前記記憶部は、記憶テーブルを含み、前記記憶テーブルは多面存在する
ことを特徴とする映像信号処理装置。
【請求項１２】
前記請求項４記載の映像信号処理システムにおいて、
前記記憶部へのパラメータ書き込みの際に使用するホストＣＰＵのアドレス空間は、前記記憶部の全アドレス分がマッピングされている
ことを特徴とする映像信号処理システム。
【請求項１３】
前記請求項４記載の映像信号処理システムにおいて、
前記記憶部は多面分の記憶テーブルを含み、
前記記憶部へのパラメータ書き込みの際に使用するホストＣＰＵのアドレス空間は、前記多面分の記憶テーブルのうち１面分のアドレスがマッピングされている
ことを特徴とする映像信号処理システム。
【請求項１４】
前記請求項４記載の映像信号処理システムにおいて、
前記ホストＣＰＵは、パラメータ自動設定部を使用せず、前記パラメータを直接に前記信号処理部に設定可能であり、
前記記憶部へのパラメータ書き込みの際に使用するホストＣＰＵのアドレス空間は、前記パラメータを直接に前記信号処理部に設定する際のアドレス空間が兼用される
ことを特徴とする映像信号処理システム。
【請求項１５】
前記請求項１記載の映像信号処理装置において、
前記記憶部は、前記受けた映像信号の映像信号フォーマットが既知の映像信号フォーマットである場合のパラメータを記憶し保持する固定パラメータテーブルを持つ
ことを特徴とする映像信号処理装置。
【請求項１６】
前記請求項１５記載の映像信号処理装置において、
前記信号処理部に設定するパラメータを前記固定パラメータテーブルか、この固定パラメータテーブル以外の領域に記憶させるかを選択する
ことを特徴とする映像信号処理装置。
【請求項１７】
前記請求項１５記載の映像信号処理装置において、
前記映像信号源の各映像信号の映像信号フォーマットが複数種類あるとき、その複数種類の映像信号フォーマットに対応するパラメータ間で共通のパラメータは、前記固定パラメータテーブルに記憶される
ことを特徴とする映像信号処理装置。
【請求項１８】
前記請求項１５記載の映像信号処理装置において、
前記固定パラメータテーブルに記憶された複数のパラメータの値を読み出し、その読み出した複数のパラメータのうち一部のパラメータのみを他の値に書き換え、その書き換え後のパラメータを含む全パラメータを前記固定パラメータテーブル以外の記憶部の領域に記憶する
ことを特徴とする映像信号処理装置。
【請求項１９】
映像信号源から映像信号を受けた後、
前記映像信号の映像信号フォーマットに対応して所定処理を行うための複数のパラメータを記憶部から読み出し、
前記読み出した複数のパラメータを前記所定処理を行う信号処理部に設定する
ことを特徴とする映像信号処理方法。
【発明の詳細な説明】
【技術分野】
【０００１】
本発明は、主にデジタル映像／音声信号を伝送する映像処理信号装置及びその映像処理での処理自動設定方法に関する。
【背景技術】
【０００２】
従来、ＤＶＤプレーヤーやレコーダー又はデジタルビデオカメラ等の映像／音声を伝送するシステムでは、そのデジタル映像／音声信号の映像信号フォーマットに従った動作をするために、ホストＣＰＵと、このホストＣＰＵに例えばシリアル伝送であるＩ２Ｃバスを経由して接続される映像信号処理装置とを備え、そのホストＣＰＵから前記映像信号フォマットに対応した多数の設定パラメータを前記映像信号処理装置に伝送して、この映像信号処理装置でその設定パラメータを使用した映像／音声信号の伝送処理を行っている。【０００３】
例えば、ハイビジョン映像を非圧縮のデジタルデータで伝送する規格であるＨＤＭＩ（High Definition Multimedia Interface ）を使用したＨＤＭＩ伝送システムでは、例えばビデオ信号源から映像／音声信号が入力され、この入力された映像／音声信号をＨＤＭＩ規格にエンコードして伝送したり、その伝送する映像／音声データのビット幅を拡張するＤＥＥＰＣＯＬＯＲ等に対応するために、ビデオ入力クロックを１．２５倍や１．５倍にしたクロックをクロック生成部で生成する必要がある。また、映像制御信号であるＤＥ（データイネーブル）も前記ビデオ信号源から供給さない場合には自己のＨＤＭＩ伝送システム内で生成する必要がある。このような場合に、ＨＤＭＩ伝送システムを入力ビデオ信号フォーマットに従って動作させるに際しては、ホストＣＰＵが前記入力ビデオ信号フォーマットに対応した多数の設定パラメータを例えば１００ｋｂｐｓ〜４００ｋｂｐｓ程度の低速で且つシリアル伝送であるＩ２Ｃバスを経由してＨＤＭＩ伝送システムに入力して、その内部でビデオ信号処理パラメータを設定したり、クロック生成回路の動作を制御している。【０００４】
このような動作を一例を図１０に示す。同図では、ホストＣＰＵが映像の出画までに行う動作について示しており、先ず、ホストＣＰＵが、符号２００で示すように、ビデオ信号源から入力されるビデオ信号のビデオ信号フォーマットを元にクロック生成部のパラメータを設定する。これらパラメータはクロック生成部の構成に従うが、ホストＣＰＵが、通常、数十回程度繰り返して設定を行う必要がある。そして、クロック設定が完了すると、符号２０１で示すように、クロック生成部の内部にあるＰＬＬ回路（Phase-locked loop、位相同期回路）においてクロック信号の発振安定待ちをするために、ホストＣＰＵがタイマーを動作させて所定時間の経過を待つ。その後、その所定時間が経過すると、符号２０２で示すように、ホストＣＰＵがビデオ信号処理部に対して多数のビデオ信号処理パラメータの設定を繰り返して行い、その設定が完了すると、符号２０３で示すように、前記ビデオ信号処理部に対してリセットを指示して、一連の動作が完了する。【０００５】
しかしながら、前記従来の構成では、ホストＣＰＵと信号伝送システムとがチップのピン数削減のためにＩ２Ｃバスを経由して接続されるため、動作が遅いと共に、ホストＣＰＵから信号伝送システムに対して数十回程度繰り返しアクセスする必要があるため、ホストＣＰＵでの処理時間が多くなり、また処理の複雑化が生じており、その結果、出画の遅れになる課題があった。【０００６】
そこで、従来、例えば特許文献１では、伝送対象の映像／音声信号が映像信号処理装置に入力されると、この映像信号処理装置内で、その入力された映像／音声信号を計測してその映像信号フォーマットを把握し、その把握した映像信号フォーマットに従った多数のパラメータを検出することにより、ホストＣＰＵからの多数のパラメータ設定を行うことなく、自動でパラメータ設定を短時間で行う技術が記載されている。
【先行技術文献】
【特許文献】
【０００７】
【特許文献１】特開平１１−５２９３４公報（１１頁、図１）
【発明の概要】
【発明が解決しようとする課題】
【０００８】
しかしながら、前記特許文献１の技術では、信号計測回路やパラメータ検出回路が必要となって、回路規模が増大すると共に、新規に規格された映像信号フォーマットの信号の伝送には対応できない欠点がある。【０００９】
例えば、ＤＶＤプレーヤーやレコーダーなどの映像信号源では、今後、スーパーハイビジョンと呼ばれる４Ｋ２Ｋ映像フォーマットや、右画面と左画面とで別々の映像を送る３Ｄ映像フォーマットなど、新規で追加されて行く映像信号フォーマットが規格化されようとしている。しかし、前記特許文献１の信号伝送システムでは、新規に規格化された映像信号フォーマットの映像／音声信号を格納する映像信号源がその信号伝送システムにホストＣＰＵと共にセット機器とされた場合に、その映像信号源からその新規規格化された映像信号フォーマットの映像／音声信号が本映像信号処理装置に入力されても、その内部の信号計測回路やパラメータ検出回路はその新規規格の映像信号フォーマットを認識できない欠点がある。【００１０】
本願発明は、以上の点を考慮し、その目的は、ホストＣＰＵからの設定回数を減らし、且つ新規規格化された映像信号フォーマットが追加された場合にも、容易に対応できて、その新規規格の映像信号フォーマットに対応した多数のパラメータを良好に信号処理部などに設定できるようにした映像信号処理装置を提供することにある。
【課題を解決するための手段】
【００１１】
前記目的を達成するため、本発明では、映像信号処理装置内において、多数のパラメータをホストＣＰＵから受信して記憶する記憶部を追加すると共に、その記憶部に記憶された多数のパラメータを信号処理部やクロック生成器に設定するパラメータ自動設定部を配置する構成を採用する。【００１２】
具体的に、本発明の映像信号処理装置は、映像信号源から映像信号を受け、受けた映像信号に対して所定処理を行う信号処理部を備えた映像信号処理装置において、前記受けた映像信号の映像信号フォーマットに対応して前記所定処理を行うための複数のパラメータを記憶する記憶部と、前記記憶部に記憶された複数のパラメータを読み出して前記信号処理部に設定するパラメータ自動設定部とを備えたことを特徴とする。【００１３】
本発明は、前記映像信号処理装置において、前記受けた映像信号の映像信号フォーマットに対応したクロック信号を生成するクロック生成部を有し、前記記憶部は、前記受けた映像信号の映像信号フォーマットに対応したクロック信号を生成するための複数のパラメータをも記憶し、前記パラメータ自動設定部は、前記記憶部に記憶された前記クロック信号生成用の複数のパラメータを読み出して前記クロック生成部に設定することを特徴とする。【００１４】
本発明は、前記映像信号処理装置において、前記映像信号処理部は、ＨＤＭＩ規格に従って受けた映像信号に対して所定処理を行うことを特徴とする。【００１５】
本発明の映像信号処理システムは、前記映像信号処理装置と、前記映像信号処理装置に接続され、前記映像信号処理装置の記憶部に前記複数のパラメータを出力して記憶させるホストＣＰＵとを備えたことを特徴とする。【００１６】
本発明は、前記映像信号処理システムにおいて、前記映像信号処理装置とホストＣＰＵとは、シリアルバスで接続されることを特徴とする。【００１７】
本発明は、前記映像信号処理システムにおいて、前記ホストＣＰＵは、その負荷が小さいときに、前記記憶部に対して前記複数のパラメータを出力して記憶させることを特徴とする。【００１８】
本発明は、前記映像信号処理システムにおいて、前記ホストＣＰＵの負荷が小さいときは、電源投入時であることを特徴とする。【００１９】
本発明は、前記映像信号処理システムにおいて、前記ホストＣＰＵは、前記記憶部に対して前記複数のパラメータを出力して記憶させた後、前記パラメータ自動設定部にパラメータの自動設定の開始を指示することを特徴とする。【００２０】
本発明は、前記映像信号処理装置において、前記記憶部は、不揮発性メモリを含むことを特徴とする。【００２１】
本発明は、前記映像信号処理装置において、前記記憶部は、記憶テーブルを含み、前記記憶テーブルは１面存在することを特徴とする。【００２２】
本発明は、前記映像信号処理装置において、前記記憶部は、記憶テーブルを含み、前記記憶テーブルは多面存在することを特徴とする。【００２３】
本発明は、前記映像信号処理システムにおいて、前記記憶部へのパラメータ書き込みの際に使用するホストＣＰＵのアドレス空間は、前記記憶部の全アドレス分がマッピングされていることを特徴とする。【００２４】
本発明は、前記映像信号処理システムにおいて、前記記憶部は多面分の記憶テーブルを含み、記記憶部へのパラメータ書き込みの際に使用するホストＣＰＵのアドレス空間は、前記多面分の記憶テーブルのうち１面分のアドレスがマッピングされていることを特徴とする。【００２５】
本発明は、前記映像信号処理システムにおいて、前記ホストＣＰＵは、パラメータ自動設定部を使用せず、前記パラメータを直接に前記信号処理部に設定可能であり、前記記憶部へのパラメータ書き込みの際に使用するホストＣＰＵのアドレス空間は、前記パラメータを直接に前記信号処理部に設定する際のアドレス空間が兼用されることを特徴とする。【００２６】
本発明は、前記映像信号処理装置において、前記記憶部は、前記受けた映像信号の映像信号フォーマットが既知の映像信号フォーマットである場合のパラメータを記憶し保持する固定パラメータテーブルを持つことを特徴とする。【００２７】
本発明は、前記映像信号処理装置において、前記信号処理部に設定するパラメータを前記固定パラメータテーブルか、この固定パラメータテーブル以外の領域に記憶させるかを選択することを特徴とする。【００２８】
本発明は、前記映像信号処理装置において、前記映像信号源の各映像信号の映像信号フォーマットが複数種類あるとき、その複数種類の映像信号フォーマットに対応するパラメータ間で共通のパラメータは、前記固定パラメータテーブルに記憶されることを特徴とする。【００２９】
本発明は、前記映像信号処理装置において、前記固定パラメータテーブルに記憶された複数のパラメータの値を読み出し、その読み出した複数のパラメータのうち一部のパラメータのみを他の値に書き換え、その書き換え後のパラメータを含む全パラメータを前記固定パラメータテーブル以外の記憶部の領域に記憶することを特徴とする。【００３０】
本発明の映像信号処理方法は、映像信号源から映像信号を受けた後、前記映像信号の映像信号フォーマットに対応して所定処理を行うための複数のパラメータを記憶部から読み出し、前記読み出した複数のパラメータを前記所定処理を行う信号処理部に設定することを特徴とする。【００３１】
以上により、本発明では、パラメータ自動設定部が記憶部から各種パラメータを読み出して信号処理部に自動設定するので、セット機器として本映像信号処理装置に接続されたホストＣＰＵからの設定回数を低減できる。その結果、ホストＣＰＵの負荷が軽減されて、映像の出画までの時間が効果的に短縮される。【００３２】
また、パラメータを記憶する記憶部を持つので、新規規格の映像信号フォーマットに対応した多数のパラメータを事後的にホストＣＰＵから記憶部に設定できて、新規規格の映像信号フォーマットの映像信号をも良好に出画することが可能である。
【発明の効果】
【００３３】
以上説明したように、本発明によれば、出画時でのホストＣＰＵの負荷を低減して、例えばＨＤＭＩ経由での映像の出画時間の短縮を図ることが可能である。【００３４】
また、映像／音声信号の新規追加された映像信号フォーマットに対しても、自動設定機能を有する。
【図面の簡単な説明】
【００３５】
【図１】図１は本発明の第１の実施形態の映像信号処理装置を含むＨＤＭＩ伝送システムの全体構成を例示する図である。
【図２】図２は同ＨＤＭＩ伝送システムが有するホストＣＰＵによる多数のパラメータの設定手順を示す図である。
【図３】図３は本発明の第２の実施形態の映像信号処理装置の要部構成を例示する図である。
【図４】図４は本発明の第３の実施形態の映像信号処理装置において、記憶テーブルの全領域をホストＣＰＵのアドレス空間にマッピングする構成を示す図である。
【図５】図５は本発明の第４の実施形態の映像信号処理装置において、記憶テーブルの１面分のみをホストＣＰＵのアドレス空間にマッピングする構成を示す図である。
【図６】図６は本発明の第５の実施形態の映像信号処理装置において、ホストＣＰＵのアドレス空間に手動設定アドレスと記憶テーブルのアドレスとを共有する構成を示す図である。
【図７】図７は本発明の第６の実施形態の映像信号処理装置を示す図である。
【図８】図８は本発明の第７の実施形態の映像信号処理装置を示す図である。
【図９】図９は本発明の第８の実施形態の映像信号処理装置において、固定テーブルの値を読み出して記憶テーブルに修正書き込みする方法を示す図である。
【図１０】図１０は従来のホストＣＰＵによる多数のパラメータの設定手順を示す図である。
【発明を実施するための形態】
【００３６】
以下、本発明の実施形態を図面を参照しながら説明する。
【００３７】
尚、以下の実施形態の説明では、ＨＤＭＩ伝送システムを例示して記載するが、特にＨＤＭＩ伝送システムに限定するものではない。
【００３８】
（第１の実施形態）
図１は本発明の第１の実施形態の映像信号処理装置を持つＨＤＭＩ伝送システムを示す。
【００３９】
図１は、ホストＣＰＵ３００と、ビデオ信号源（映像信号源）３０１と、映像信号処理装置３０２とがセット機器とされて、全体としてＨＤＭＩ信号伝送システム（映像信号処理システム）が構築された構成を例示している。
【００４０】
前記映像信号処理装置３０２内には、レジスタ制御部３０３と、クロック生成部３０４と、ビデオ信号処理部（信号処理部）３０５とを備える。更に、前記レジスタ制御部３０３内には本発明上重要な自動設定制御部３０６が搭載されると共に、記憶テーブル３０７が前記レジスタ制御部３０３に接続される。
【００４１】
前記クロック生成部３０４及びビデオ信号処理部３０５は、ビデオ信号源３０１から入力される映像／音声信号をその映像信号フォマットに従って処理するために、その映像信号フォマットに対応した多数のパラメータが必要である。これ等のパラメータの中には、映像制御信号であるＤＥ（データイネーブル）も含まれる。これ等の多数のパラメータは、本実施形態では、ホストＣＰＵ３００がレジスタ制御部３０３を経由して予め記憶テーブル（記憶部）３０７に記憶させておき、出画させる場合に自動設定制御部（パラメータ自動設定部）３０６が前記記憶テーブル３０７から設定パラメータを取得し、それ等の取得したパラメータを前記クロック生成部３０４やビデオ信号処理部３０５に対して設定すると共に、クロック生成部３０４内のＰＬＬ回路（図示せず）でのクロック信号の発振安定待ち等を行う。
【００４２】
前記ビデオ信号源３０１に格納された各種の映像／音声信号（映像／音声データｄａｔａ、水平同期信号Ｈｓｙｎｃ、垂直同期信号Ｖｓｙｎｃ及びクロック信号Ｃｌｏｃｋ）の情報は、予め、仕様／波形観測により、ホストＣＰＵ３００が事前に把握しており、ホストＣＰＵ３００は、映像信号処理装置３０２に入力される映像／音声信号の映像信号フォーマットを把握し、その映像信号フォーマットに対応する多数のパラメータを把握している。
【００４３】
尚、図１では、ビデオ信号源３０１を映像信号処理装置３０２とセット機器としたが、本映像信号処理装置３０２は、ＤＶＤプレーヤーやレコーダー、デジタルカメラ等の異なるセット機器としても組み込み可能であるのは、勿論である。
【００４４】
図２は、ホストＣＰＵ３００が出画までに行う動作を示す。同図では、先ず、電源投入時など、セット機器初期化時にホストＣＰＵ３００が記憶テーブル３０７に設定すべきパラメータの設定４００を行う。尚、本実施形態では電源投入時としたが、特にパラメータの設定時期は特定されず、要は、出画するまでの間で、セット機器（即ち、ＨＤＭＩ信号伝送システム）のホストＣＰＵ３００の負荷が少ないタイミングなど、都合の良いタイミングでパラメータを記憶テーブル３０７に書き込めば良い。
【００４５】
尚、前記記憶テーブル３０７は、例えばＲＡＭやフリップフロップ等で構成されるが、記憶素子の種類は限定されない。
【００４６】
前記電源投入時以後では、ホストＣＰＵ３００は、レジスタ制御部３０３に対して記憶テーブル使用設定４０１を行い、自動設定制御部３０６の機能を有効にする。その上で、自動設定開始４０２を通知することにより、自動設定制御部３０６が記憶テーブル３０７から事前に記憶されたクロック設定パラメータを読み込み、クロック生成部３０４に対してクロック設定を行う。
【００４７】
前記クロック設定が終了すると、同クロック生成部３０４内のＰＬＬ回路（図示せず）の発振安定待ちためのタイマーを自動設定制御部３０６で動作させ始め、その後、所定期間が経過すると、次に、自動設定制御部３０６が記憶テーブル３０７からビデオ信号処理部３０５に対する信号処理パラメータを読み込み、これ等の信号処理パラメータをビデオ信号処理部３０５に設定する。
【００４８】
前記ビデオ信号処理部３０５でのパラメータ設定が終了すると、自動設定制御部３０６がビデオ信号処理部３０５のリセットを行って、設定が完了する。
【００４９】
以上のように設定が全て完了すると、ホストＣＰＵ３００は、自動設定制御部３０６から発行される割り込み、又はホストＣＰＵ３００がポーリングによる自動設定制御部３０６のチェックを行うことにより、前記設定が全て完了したことを把握する。
【００５０】
この一連の動作において、記憶テーブル３０７へのパラメータの設定動作を除くと、ホストＣＰＵ３００がレジスタ制御部３０３にアクセスする回数は２回で済み、従来の構成のように数十回要していた場合と比較して、ホストＣＰＵ３００の処理時間が大幅に短縮される。しかも、電源投入後、即ち、多数のパラメータが記憶テーブル３０７に設定された後には、ビデオ信号源３０１からビデオ信号フォーマットの異なる映像／音声信号がランダムに読み出されて、ビデオ信号フォーマットが動的に切り換わる際には、そのビデオ信号フォーマットの切り換わり時毎に、ホストＣＰＵ３００がレジスタ制御部３０３にアクセスする回数は２回で済むので、従来のようにその切り換わり時毎にホストＣＰＵ３００がレジスタ制御部３０３に数十回程度アクセスを繰り返す必要がなく、ホストＣＰＵ３００の処理時間がより一層に短縮される。
【００５１】
前記記憶テーブル３０７が、不揮発メモリ（Ｆｌａｓｈメモリ等、種類は問わない）で構成される場合には、一度記憶すると電源を落としてもパラメータ値が保持されるので、使用するビデオ信号フォーマットが固定の場合などでは、一度書き込みを行えば、後は電源投入時等にパラメータを書き込みする必要がなく、ホストＣＰＵ３００は更に負荷が軽くなる。
【００５２】
（第２の実施形態）
図３は本発明の第２の実施形態を示す。
【００５３】
同図では、映像信号処理装置５０８において、自動設定制御部５００内に、使用面制御部５０１とセレクタ５０２とを新たに追加すると共に、記憶テーブル５１０〜５１ｍをｍ面用意した構成である。
【００５４】
ホストＣＰＵからレジスタ制御部５０９を通じて、自動設定制御部５００内の使用面制御部５０１に対して、使用する面を通知する。この通知に従い、使用面制御部５０１はセレクタ５０２を制御し、予めパラメータが書き込まれている記憶テーブル５１０〜５１ｍの中で、現在入力されているビデオ信号フォーマットに対応するパラメータが記憶されている記憶テーブルを入力として選択させる。そして、この選択された記憶テーブルからパラメータがパラメータ処理部５０３に渡され、これ等のパラメータがクロック生成部及びビデオ信号処理部に対し適切なタイミングで設定される。
【００５５】
記憶テーブルが１面しかない場合には、ビデオ信号フォーマットが切り換わる度に記憶テーブルを書き換える必要があるのに対し、本実施形態では記憶テーブル５１０〜５１ｍが多面構成であるので、よく使うビデオ信号フォーマットの場合にはパラメータを書き換え変更する必要がなく、頻繁に記憶テーブル５１０〜５１ｍにパラメータを設定する必要がなくなる。
【００５６】
また、新規規格のビデオ信号フォーマットの映像／音声信号が数種類ビデオ信号源３０１に追加格納されている場合には、一部の記憶テーブルに既存ビデオ信号フォーマットのパラメータを記憶したまま、他の記憶テーブルに新規規格のビデオ信号フォーマットのパラメータを格納でき、非常に有用である。
【００５７】
（第３の実施形態）
図４は本発明の第３の実施形態を示す。
【００５８】
同図は、映像信号処理装置内に設けた記憶テーブルに予めパラメータを書き込む場合の方法を示し、ホストアドレス空間にｍ個の記憶テーブルまでの全面をマッピングする方法の一例である。本実施形態では、記憶テーブルが１面のみの場合はｍ＝１とするだけで使用可能である。
【００５９】
ホストＣＰＵが従来のようにパラメータを直接にクロック生成部３０４及びビデオ信号処理部３０５にパラメータを設定する場合のレジスタ領域（本発明の自動設定制御部３０６によるパラメータの自動設定と対比して、以下、「手動設定」という）、即ち、手動設定用レジスタ領域６００に対して、０〜ｎ−１番地までのパラメータがｎ個あるとすると、記憶テーブル１のレジスタ領域６０１のパラメータ１のアドレスがｎ番地となり、パラメータｎのアドレスが２ｎ−１番地となる。記憶テーブル２のレジスタ領域６０２のパラメータ１のアドレスが２ｎ番地となり、パラメータｎのアドレスが３ｎ−１番地となる。つまり、記憶テーブルｍのレジスタ領域６０３のパラメータ１のアドレスがｍ ｘ ｎ番地となり、パラメータｎのアドレスが（ｍ＋１） ｘ ｎ −１番地となる。
【００６０】
前述の方法は、ホストアドレス空間に余裕がある場合には、構造がシンプルになるため有用であり、記憶テーブルに書き込まれているパラメータを簡単に読み出すことが可能である。
【００６１】
（第４の実施形態）
図５は本発明の第４の実施形態を示す。
【００６２】
同図は、映像信号処理装置内に設けた記憶テーブルに予めパラメータを書き込む場合の方法を示し、ホストアドレス空間に記憶領域１面分のみをマッピングする方法の一例である。
【００６３】
同図では、手動設定用レジスタ領域７００に０〜ｎ−１番地までのパラメータがｎ個あるとすると、記憶パラメータレジスタ領域７０１のパラメータ１のアドレスがｎ番地となり、パラメータｎのアドレスが２ｎ−１番地となる。
【００６４】
更に、記憶制御レジスタ領域７０２のアドレス２ｎ番地を記憶面設定領域、２ｎ＋１番地を書き込み許可領域とする。
【００６５】
面ｍを書き込む場合は、記憶パラメータレジスタ領域７０１に書き込みたいパラメータをホストＣＰＵから書き込む。その後、前記レジスタ領域７０２のアドレス２ｎ番地の記憶面設定領域に“ｍ”を設定し、２ｎ＋１番地に書き込み許可設定をする。これにより、セレクタ７０３が記憶テーブルｍ ７０４を選択し、この記憶テーブルｍ ７０４に記憶パラメータレジスタ領域７０１に書き込まれている値が設定される。
【００６６】
前述の方法は、ホストアドレス空間に余裕がない場合には有用である。
【００６７】
（第５の実施形態）
図６は本発明の第５の実施形態を示す。
【００６８】
同図は、映像信号処理装置内に設けた記憶テーブルに予めパラメータを書き込む場合の方法を示し、ホストアドレス空間として手動設定領域と記憶領域とを兼用する方法の一例である。
【００６９】
同図では、パラメータ設定レジスタ領域８００に０〜ｎ−１番地までのパラメータをｎ個をマッピングする。また、記憶制御レジスタ領域８０１を用意する。
【００７０】
通常使用時は、記憶制御レジスタ領域にある記憶面設定を“０”に設定、即ち、手動設定とすると、セレクタ８０２が手動設定領域８０３を選択して使用する。
【００７１】
面ｍを書き込む場合には、パラメータレジスタ領域８００に書き込みたいパラメータをホストＣＰＵから書き込む。その後、記憶制御レジスタ領域８０１のアドレスｎ番地の記憶面設定領域に“ｍ”を設定し、ｎ＋１番地に書き込み許可設定をする。これにより、セレクタ８０２が記憶テーブルｍ ８０４を選択し、記憶テーブルｍ ８０４にパラメータ設定レジスタ領域８００に書き込まれているパラメータ値が設定される。
【００７２】
前述の方法は、ホストアドレス空間に余裕が全くない場合に有用である。
【００７３】
（第６の実施形態）
図７は本発明の第６の実施形態を示す。
【００７４】
同図は、レジスタ制御部９２０内の自動設定制御部９００に使用面制御部９０１とセレクタ９０２とを用意すると共に、記憶テーブル９１０に加えて、固定テーブル９１１を用意した構成を示す。この固定テーブル９１１は、ＲＯＭやＷｉｒｅ Ｌｏｇｉｃ等の書き換え不可能なテーブルであることを特徴とする。既知のビデオ信号フォーマットであれば、予め、固定テーブルにパラメータ値を入れておくことが可能であることに基づく。
【００７５】
新規に追加されたビデオ信号フォーマットの使用時について説明する。ビデオ信号源に新規追加のビデオフォーマットの映像／音声信号が格納されている場合には、その新規追加のビデオフォーマットのパラメータは記憶テーブルｍ ９１０に設定されているものとして説明する。
【００７６】
ホストＣＰＵは、使用面制御部９０１からセレクタ９０２を制御して記憶テーブルｍ ９１０を選択する。これにより、パラメータ処理部９０３には記憶テーブルｍ ９１０に設定されているパラメータが読み出されて、新規に追加されたビデオフォーマットに対応したクロック生成部及びビデオ信号処理部の自動設定を行うことが可能となる。
【００７７】
次に、既知のビデオフォーマットの使用時について説明する。既知のビデオパラメータは固定テーブルｎ ９１１に入っていると仮定すると、ホストＣＰＵは使用面制御部９０１からセレクタ９０２を制御して固定テーブルｎ ９１１を選択する。これにより、パラメータ処理部９０３には固定テーブルｎ ９１１に格納されているパラメータが読み出されて、既知のビデオフォーマットに対応したクロック生成部及びビデオ信号処理部の自動設定を行うことが可能となる。
【００７８】
本実施形態では、固定テーブル９１１を持ち、この固定テーブル９１１に既知のビデオ信号フォーマットのパラメータが格納されているので、これらのパラメータを電源投入時にホストＣＰＵから初期設定する必要がなく、ホストＣＰＵの負荷をより一層に低減することが可能である。
【００７９】
また、固定テーブル９１１は、ＲＡＭ等の記憶素子に比べて小さな回路となるので、ホストＣＰＵの更なる負荷削減及び回路規模の削減が可能である。
【００８０】
（第７の実施形態）
図８は本発明の第７の実施形態を示す。
【００８１】
同図は、自動設定制御部１０００内に、使用パラメータ制御部１００２を設けると共に、レジスタ制御部１０１０内に固定パラメータ１ １００３〜ａ １００４を用意した構成を示す。
【００８２】
前記固定パラメータ１ １００３〜ａ １００４は、ＲＯＭやＷｉｒｅ Ｌｏｇｉｃ等、書き換え不可能なパラメータであることを特徴とする。これ等の固定パラメータ１ １００３〜ａ １００４には、全てのビデオ信号フォーマットで共通なパラメータ値や、一部のビデオ信号フォーマットで共通なパラメータ値が格納される。
【００８３】
前記固定パラメータ１ １００３〜ａ １００４を使用する場合を説明する。使用パラメータ制御部１００２は、パラメータ処理部１００１からパラメータｘが呼び出された場合は固定パラメータ１ １００３を使用すると予め設定され、パラメータｙがパラメータ処理部１００１から呼び出された場合は、固定パラメータａ １００４を使用すると予め設定される。
【００８４】
固定パラメータ１ １００３が自動設定シーケンスで読み出される方法を例に説明する。
【００８５】
自動設定シーケンスが走っている状態において、パラメータ処理部１００１から固定パラメータ１ １００３からの読み出し要求が発行された場合には、使用パラメータ制御部１００２は、パラメータｘの読み込み要求と判断して、固定パラメータ１ １００３の値を読み込み、パラメータ処理部１００１に引き渡して、処理を完了する。
【００８６】
本実施形態では、固定パラメータ１ １００３〜ａ １００４を持つことにより、記憶テーブルや固定テーブルそのもののサイズを削減することが可能である。また、ホストＣＰＵからの初期設定も一部削除することが可能であるので、ホストＣＰＵの負荷低減も可能となる。
【００８７】
尚、本実施形態では、記憶テーブルをｍ個、固定テーブルをｎ個持っている例で説明をしているが、ｍ、ｎは可変であり、ｍ、ｎの値を限定するものではない。また固定テーブルが無い構成でも実施可能である。
【００８８】
（第８の実施形態）
図９は本発明の第８の実施形態を示す。
【００８９】
同図は、固定テーブルａ １１０４の各パラメータを呼び出し、その中の一部のパラメータのみを書き換えた後、その書き換え後のパラメータを含む全パラメータを記憶テーブルｍ １１０３に書き込む方法を例示している。尚、固定テーブルから記憶テーブルに書き換える面の組み合わせは特に限定されず、任意の組み合わせが可能である。
【００９０】
図９において、先ず、記憶制御レジスタ領域１１０１においてセレクタ１１０２が固定テーブルａ １１０４を選択するように設定して、固定テーブルａ １１０４の各パラメータ値をパラメータ設定レジスタ領域１１００に読み込ませる。
【００９１】
その読み込みが完了すると、ホストアドレスが例えばｎ−２番地とｎ−１番地との両パラメータｎ−１、ｎを所望の値に変更する場合には、ホストＣＰＵが先ずホストアドレスがｎ−２番地のパラメータｎ−１を所望値に書き込み、次いでホストアドレスがｎ−１番地のパラメータｎを所望値に書き込む。
【００９２】
そして、変更が必要なパラメータの書き換えが完了したので、次に、記憶制御レジスタ領域１１０１において、セレクタ１１０２が記憶テーブルｍ １１０３を選択するように設定して、前記書き換え後のパラメータを含む全パラメータを記憶テーブルｍ １１０３に書き込む。
【００９３】
前述の方法を採ることにより、新規追加のビデオフォーマットのパラメータが、固定テーブル１ １１０４、ａ １１０４にある既知のビデオ信号フォーマットと値が近い場合等には、ホストＣＰＵが記憶テーブルｍ １１０３にパラメータ値を書き込む回数を削減できるので、ホストＣＰＵの更なる負荷低減が可能となる。
【産業上の利用可能性】
【００９４】
以上説明したように、本発明は、今後スーパーハイビジョン映像や３Ｄ映像等、新規に追加される映像信号フォーマットに対しても、単純な回路構成でもって、必要なパラメータを信号処理部やクロック生成部に自動設定できるようにしたので、セット機器側のホストＣＰＵの負荷を低減でき、結果的に出画時間を短縮できる映像処理装置等として有用である。
【符号の説明】
【００９５】
３００      ホストＣＰＵ
３０１      ビデオ信号源（映像信号源）
３０２      映像信号処理装置
３０３      レジスタ制御部
３０４      クロック生成部
３０５      ビデオ信号処理部（信号処理部）
３０６      自動設定制御部（パラメータ自動設定部）
３０７      記憶テーブル（記憶部）
５００      自動設定制御部
５０１      使用面制御部
５０２      使用面切り替えセレクタ
５０３      パラメータ処理部
９００      自動設定制御部
９０１      使用面制御部
９０２      使用面切り替えセレクタ
９０３      パラメータ処理部
１０００    自動設定制御部
１００１    パラメータ処理部
１００２    使用パラメータ制御部
１１０２    使用面切り替えセレクタ
【図１】
2010086914.tif 000003
【図２】
2010086914.tif 000004
【図３】
2010086914.tif 000005
【図４】
2010086914.tif 000006
【図５】
2010086914.tif 000007
【図６】
2010086914.tif 000008
【図７】
2010086914.tif 000009
【図８】
2010086914.tif 000010
【図９】
2010086914.tif 000011
【図１０】
2010086914.tif 000012
【手続補正書】
【提出日】平成23年3月11日(2011.3.11)
【手続補正１】
【補正対象書類名】明細書
【補正対象項目名】全文
【補正方法】変更
【補正の内容】
【発明の詳細な説明】
【技術分野】
【０００１】
本発明は、主にデジタル映像／音声信号を伝送する映像処理信号装置及びその映像処理での処理自動設定方法に関する。
【背景技術】
【０００２】
従来、ＤＶＤプレーヤーやレコーダー又はデジタルビデオカメラ等の映像／音声を伝送するシステムでは、そのデジタル映像／音声信号の映像信号フォーマットに従った動作をするために、ホストＣＰＵと、このホストＣＰＵに例えばシリアル伝送であるＩ２Ｃバスを経由して接続される映像信号処理装置とを備え、そのホストＣＰＵから前記映像信号フォマットに対応した多数の設定パラメータを前記映像信号処理装置に伝送して、この映像信号処理装置でその設定パラメータを使用した映像／音声信号の伝送処理を行っている。
【０００３】
例えば、ハイビジョン映像を非圧縮のデジタルデータで伝送する規格であるＨＤＭＩ（High Definition Multimedia Interface ）を使用したＨＤＭＩ伝送システムでは、例えばビデオ信号源から映像／音声信号が入力され、この入力された映像／音声信号をＨＤＭＩ規格にエンコードして伝送したり、その伝送する映像／音声データのビット幅を拡張するＤＥＥＰＣＯＬＯＲ等に対応するために、ビデオ入力クロックを１．２５倍や１．５倍にしたクロックをクロック生成部で生成する必要がある。また、映像制御信号であるＤＥ（データイネーブル）も前記ビデオ信号源から供給さない場合には自己のＨＤＭＩ伝送システム内で生成する必要がある。このような場合に、ＨＤＭＩ伝送システムを入力ビデオ信号フォーマットに従って動作させるに際しては、ホストＣＰＵが前記入力ビデオ信号フォーマットに対応した多数の設定パラメータを例えば１００ｋｂｐｓ〜４００ｋｂｐｓ程度の低速で且つシリアル伝送であるＩ２Ｃバスを経由してＨＤＭＩ伝送システムに入力して、その内部でビデオ信号処理パラメータを設定したり、クロック生成回路の動作を制御している。
【０００４】
このような動作を一例を図１０に示す。同図では、ホストＣＰＵが映像の出画までに行う動作について示しており、先ず、ホストＣＰＵが、符号２００で示すように、ビデオ信号源から入力されるビデオ信号のビデオ信号フォーマットを元にクロック生成部のパラメータを設定する。これらパラメータはクロック生成部の構成に従うが、ホストＣＰＵが、通常、数十回程度繰り返して設定を行う必要がある。そして、クロック設定が完了すると、符号２０１で示すように、クロック生成部の内部にあるＰＬＬ回路（Phase-locked loop、位相同期回路）においてクロック信号の発振安定待ちをするために、ホストＣＰＵがタイマーを動作させて所定時間の経過を待つ。その後、その所定時間が経過すると、符号２０２で示すように、ホストＣＰＵがビデオ信号処理部に対して多数のビデオ信号処理パラメータの設定を繰り返して行い、その設定が完了すると、符号２０３で示すように、前記ビデオ信号処理部に対してリセットを指示して、一連の動作が完了する。
【０００５】
しかしながら、前記従来の構成では、ホストＣＰＵと信号伝送システムとがチップのピン数削減のためにＩ２Ｃバスを経由して接続されるため、動作が遅いと共に、ホストＣＰＵから信号伝送システムに対して数十回程度繰り返しアクセスする必要があるため、ホストＣＰＵでの処理時間が多くなり、また処理の複雑化が生じており、その結果、出画の遅れになる課題があった。
【０００６】
そこで、従来、例えば特許文献１では、伝送対象の映像／音声信号が映像信号処理装置に入力されると、この映像信号処理装置内で、その入力された映像／音声信号を計測してその映像信号フォーマットを把握し、その把握した映像信号フォーマットに従った多数のパラメータを検出することにより、ホストＣＰＵからの多数のパラメータ設定を行うことなく、自動でパラメータ設定を短時間で行う技術が記載されている。
【先行技術文献】
【特許文献】
【０００７】
【特許文献１】特開平１１−５２９３４公報（１１頁、図１）
【発明の概要】
【発明が解決しようとする課題】
【０００８】
しかしながら、前記特許文献１の技術では、信号計測回路やパラメータ検出回路が必要となって、回路規模が増大すると共に、新規に規格された映像信号フォーマットの信号の伝送には対応できない欠点がある。
【０００９】
例えば、ＤＶＤプレーヤーやレコーダーなどの映像信号源では、今後、スーパーハイビジョンと呼ばれる４Ｋ２Ｋ映像フォーマットや、右画面と左画面とで別々の映像を送る３Ｄ映像フォーマットなど、新規で追加されて行く映像信号フォーマットが規格化されようとしている。しかし、前記特許文献１の信号伝送システムでは、新規に規格化された映像信号フォーマットの映像／音声信号を格納する映像信号源がその信号伝送システムにホストＣＰＵと共にセット機器とされた場合に、その映像信号源からその新規規格化された映像信号フォーマットの映像／音声信号が本映像信号処理装置に入力されても、その内部の信号計測回路やパラメータ検出回路はその新規規格の映像信号フォーマットを認識できない欠点がある。
【００１０】
本願発明は、以上の点を考慮し、その目的は、ホストＣＰＵからの設定回数を減らし、且つ新規規格化された映像信号フォーマットが追加された場合にも、容易に対応できて、その新規規格の映像信号フォーマットに対応した多数のパラメータを良好に信号処理部などに設定できるようにした映像信号処理装置を提供することにある。
【課題を解決するための手段】
【００１１】
前記目的を達成するため、本発明では、映像信号処理装置内において、多数のパラメータをホストＣＰＵから受信して記憶する記憶部を追加すると共に、その記憶部に記憶された多数のパラメータを信号処理部やクロック生成器に設定するパラメータ自動設定部を配置する構成を採用する。
【００１２】
具体的に、請求項１記載の発明の映像信号処理装置は、映像信号源から映像信号を受け、受けた映像信号に対して所定処理を行う信号処理部を備えた映像信号処理装置において、前記受けた映像信号の映像信号フォーマットに対応して前記所定処理を行うための複数のパラメータを記憶する記憶部と、前記記憶部に記憶された複数のパラメータを読み出して前記信号処理部に設定するパラメータ自動設定部とを備えたことを特徴とする。
【００１３】
請求項２記載の発明は、前記請求項１記載の映像信号処理装置において、前記受けた映像信号の映像信号フォーマットに対応したクロック信号を生成するクロック生成部を有し、前記記憶部は、前記受けた映像信号の映像信号フォーマットに対応したクロック信号を生成するための複数のパラメータをも記憶し、前記パラメータ自動設定部は、前記記憶部に記憶された前記クロック信号生成用の複数のパラメータを読み出して前記クロック生成部に設定することを特徴とする。
【００１４】
請求項３記載の発明は、前記請求項１又は２記載の映像信号処理装置において、前記映像信号処理部は、ＨＤＭＩ規格に従って受けた映像信号に対して所定処理を行うことを特徴とする。
【００１５】
請求項４記載の発明の映像信号処理システムは、前記請求項１〜３の何れか１項に記載の映像信号処理装置と、前記映像信号処理装置に接続され、前記映像信号処理装置の記憶部に前記複数のパラメータを出力して記憶させるホストＣＰＵとを備えたことを特徴とする。
【００１６】
請求項５記載の発明は、前記請求項４記載の映像信号処理システムにおいて、前記映像信号処理装置とホストＣＰＵとは、シリアルバスで接続されることを特徴とする。
【００１７】
請求項６記載の発明は、前記請求項４記載の映像信号処理システムにおいて、前記ホストＣＰＵは、その負荷が小さいときに、前記記憶部に対して前記複数のパラメータを出力して記憶させることを特徴とする。
【００１８】
請求項７記載の発明は、前記請求項６記載の映像信号処理システムにおいて、前記ホストＣＰＵの負荷が小さいときは、電源投入時であることを特徴とする。
【００１９】
請求項８記載の発明は、前記請求項６又は７記載の映像信号処理システムにおいて、前記ホストＣＰＵは、前記記憶部に対して前記複数のパラメータを出力して記憶させた後、前記パラメータ自動設定部にパラメータの自動設定の開始を指示することを特徴とする。
【００２０】
請求項９記載の発明は、前記請求項１記載の映像信号処理装置において、前記記憶部は、不揮発性メモリを含むことを特徴とする。
【００２１】
請求項１０記載の発明は、前記請求項１記載の映像信号処理装置において、前記記憶部は、記憶テーブルを含み、前記記憶テーブルは１面存在することを特徴とする。
【００２２】
請求項１１記載の発明は、前記請求項１記載の映像信号処理装置において、前記記憶部は、記憶テーブルを含み、前記記憶テーブルは多面存在することを特徴とする。
【００２３】
請求項１２記載の発明は、前記請求項４記載の映像信号処理システムにおいて、前記記憶部へのパラメータ書き込みの際に使用するホストＣＰＵのアドレス空間は、前記記憶部の全アドレス分がマッピングされていることを特徴とする。
【００２４】
請求項１３記載の発明は、前記請求項４記載の映像信号処理システムにおいて、前記記憶部は多面分の記憶テーブルを含み、記記憶部へのパラメータ書き込みの際に使用するホストＣＰＵのアドレス空間は、前記多面分の記憶テーブルのうち１面分のアドレスがマッピングされていることを特徴とする。
【００２５】
請求項１４記載の発明は、前記請求項４記載の映像信号処理システムにおいて、前記ホストＣＰＵは、パラメータ自動設定部を使用せず、前記パラメータを直接に前記信号処理部に設定可能であり、前記記憶部へのパラメータ書き込みの際に使用するホストＣＰＵのアドレス空間は、前記パラメータを直接に前記信号処理部に設定する際のアドレス空間が兼用されることを特徴とする。
【００２６】
請求項１５記載の発明は、前記請求項１記載の映像信号処理装置において、前記記憶部は、前記受けた映像信号の映像信号フォーマットが既知の映像信号フォーマットである場合のパラメータを記憶し保持する固定パラメータテーブルを持つことを特徴とする。
【００２７】
請求項１６記載の発明は、前記請求項１５記載の映像信号処理装置において、前記信号処理部に設定するパラメータを前記固定パラメータテーブルか、この固定パラメータテーブル以外の領域に記憶させるかを選択することを特徴とする。
【００２８】
請求項１７記載の発明は、前記請求項１５記載の映像信号処理装置において、前記映像信号源の各映像信号の映像信号フォーマットが複数種類あるとき、その複数種類の映像信号フォーマットに対応するパラメータ間で共通のパラメータは、前記固定パラメータテーブルに記憶されることを特徴とする。
【００２９】
請求項１８記載の発明は、前記請求項１５記載の映像信号処理装置において、前記固定パラメータテーブルに記憶された複数のパラメータの値を読み出し、その読み出した複数のパラメータのうち一部のパラメータのみを他の値に書き換え、その書き換え後のパラメータを含む全パラメータを前記固定パラメータテーブル以外の記憶部の領域に記憶することを特徴とする。
【００３０】
請求項１９記載の発明の映像信号処理方法は、映像信号源から映像信号を受けた後、前記映像信号の映像信号フォーマットに対応して所定処理を行うための複数のパラメータを記憶部から読み出し、前記読み出した複数のパラメータを前記所定処理を行う信号処理部に設定することを特徴とする。
【００３１】
以上により、本発明では、パラメータ自動設定部が記憶部から各種パラメータを読み出して信号処理部に自動設定するので、セット機器として本映像信号処理装置に接続されたホストＣＰＵからの設定回数を低減できる。その結果、ホストＣＰＵの負荷が軽減されて、映像の出画までの時間が効果的に短縮される。
【００３２】
また、パラメータを記憶する記憶部を持つので、新規規格の映像信号フォーマットに対応した多数のパラメータを事後的にホストＣＰＵから記憶部に設定できて、新規規格の映像信号フォーマットの映像信号をも良好に出画することが可能である。
【発明の効果】
【００３３】
以上説明したように、本発明によれば、出画時でのホストＣＰＵの負荷を低減して、例えばＨＤＭＩ経由での映像の出画時間の短縮を図ることが可能である。
【００３４】
また、映像／音声信号の新規追加された映像信号フォーマットに対しても、自動設定機能を有する。
【図面の簡単な説明】
【００３５】
【図１】本発明の第１の実施形態の映像信号処理装置を含むＨＤＭＩ伝送システムの全体構成を例示する図である。
【図２】同ＨＤＭＩ伝送システムが有するホストＣＰＵによる多数のパラメータの設定手順を示す図である。
【図３】本発明の第２の実施形態の映像信号処理装置の要部構成を例示する図である。
【図４】本発明の第３の実施形態の映像信号処理装置において、記憶テーブルの全領域をホストＣＰＵのアドレス空間にマッピングする構成を示す図である。
【図５】本発明の第４の実施形態の映像信号処理装置において、記憶テーブルの１面分のみをホストＣＰＵのアドレス空間にマッピングする構成を示す図である。
【図６】本発明の第５の実施形態の映像信号処理装置において、ホストＣＰＵのアドレス空間に手動設定アドレスと記憶テーブルのアドレスとを共有する構成を示す図である。
【図７】本発明の第６の実施形態の映像信号処理装置を示す図である。
【図８】本発明の第７の実施形態の映像信号処理装置を示す図である。
【図９】本発明の第８の実施形態の映像信号処理装置において、固定テーブルの値を読み出して記憶テーブルに修正書き込みする方法を示す図である。
【図１０】従来のホストＣＰＵによる多数のパラメータの設定手順を示す図である。
【発明を実施するための形態】
【００３６】
以下、本発明の実施形態を図面を参照しながら説明する。
【００３７】
尚、以下の実施形態の説明では、ＨＤＭＩ伝送システムを例示して記載するが、特にＨＤＭＩ伝送システムに限定するものではない。
【００３８】
（第１の実施形態）
図１は本発明の第１の実施形態の映像信号処理装置を持つＨＤＭＩ伝送システムを示す。
【００３９】
図１は、ホストＣＰＵ３００と、ビデオ信号源（映像信号源）３０１と、映像信号処理装置３０２とがセット機器とされて、全体としてＨＤＭＩ信号伝送システム（映像信号処理システム）が構築された構成を例示している。
【００４０】
前記映像信号処理装置３０２内には、レジスタ制御部３０３と、クロック生成部３０４と、ビデオ信号処理部（信号処理部）３０５とを備える。更に、前記レジスタ制御部３０３内には本発明上重要な自動設定制御部３０６が搭載されると共に、記憶テーブル３０７が前記レジスタ制御部３０３に接続される。
【００４１】
前記クロック生成部３０４及びビデオ信号処理部３０５は、ビデオ信号源３０１から入力される映像／音声信号をその映像信号フォマットに従って処理するために、その映像信号フォマットに対応した多数のパラメータが必要である。これ等のパラメータの中には、映像制御信号であるＤＥ（データイネーブル）も含まれる。これ等の多数のパラメータは、本実施形態では、ホストＣＰＵ３００がレジスタ制御部３０３を経由して予め記憶テーブル（記憶部）３０７に記憶させておき、出画させる場合に自動設定制御部（パラメータ自動設定部）３０６が前記記憶テーブル３０７から設定パラメータを取得し、それ等の取得したパラメータを前記クロック生成部３０４やビデオ信号処理部３０５に対して設定すると共に、クロック生成部３０４内のＰＬＬ回路（図示せず）でのクロック信号の発振安定待ち等を行う。
【００４２】
前記ビデオ信号源３０１に格納された各種の映像／音声信号（映像／音声データｄａｔａ、水平同期信号Ｈｓｙｎｃ、垂直同期信号Ｖｓｙｎｃ及びクロック信号Ｃｌｏｃｋ）の情報は、予め、仕様／波形観測により、ホストＣＰＵ３００が事前に把握しており、ホストＣＰＵ３００は、映像信号処理装置３０２に入力される映像／音声信号の映像信号フォーマットを把握し、その映像信号フォーマットに対応する多数のパラメータを把握している。
【００４３】
尚、図１では、ビデオ信号源３０１を映像信号処理装置３０２とセット機器としたが、本映像信号処理装置３０２は、ＤＶＤプレーヤーやレコーダー、デジタルカメラ等の異なるセット機器としても組み込み可能であるのは、勿論である。
【００４４】
図２は、ホストＣＰＵ３００が出画までに行う動作を示す。同図では、先ず、電源投入時など、セット機器初期化時にホストＣＰＵ３００が記憶テーブル３０７に設定すべきパラメータの設定４００を行う。尚、本実施形態では電源投入時としたが、特にパラメータの設定時期は特定されず、要は、出画するまでの間で、セット機器（即ち、ＨＤＭＩ信号伝送システム）のホストＣＰＵ３００の負荷が少ないタイミングなど、都合の良いタイミングでパラメータを記憶テーブル３０７に書き込めば良い。
【００４５】
尚、前記記憶テーブル３０７は、例えばＲＡＭやフリップフロップ等で構成されるが、記憶素子の種類は限定されない。
【００４６】
前記電源投入時以後では、ホストＣＰＵ３００は、レジスタ制御部３０３に対して記憶テーブル使用設定４０１を行い、自動設定制御部３０６の機能を有効にする。その上で、自動設定開始４０２を通知することにより、自動設定制御部３０６が記憶テーブル３０７から事前に記憶されたクロック設定パラメータを読み込み、クロック生成部３０４に対してクロック設定を行う。
【００４７】
前記クロック設定が終了すると、同クロック生成部３０４内のＰＬＬ回路（図示せず）の発振安定待ちためのタイマーを自動設定制御部３０６で動作させ始め、その後、所定期間が経過すると、次に、自動設定制御部３０６が記憶テーブル３０７からビデオ信号処理部３０５に対する信号処理パラメータを読み込み、これ等の信号処理パラメータをビデオ信号処理部３０５に設定する。
【００４８】
前記ビデオ信号処理部３０５でのパラメータ設定が終了すると、自動設定制御部３０６がビデオ信号処理部３０５のリセットを行って、設定が完了する。
【００４９】
以上のように設定が全て完了すると、ホストＣＰＵ３００は、自動設定制御部３０６から発行される割り込み、又はホストＣＰＵ３００がポーリングによる自動設定制御部３０６のチェックを行うことにより、前記設定が全て完了したことを把握する。
【００５０】
この一連の動作において、記憶テーブル３０７へのパラメータの設定動作を除くと、ホストＣＰＵ３００がレジスタ制御部３０３にアクセスする回数は２回で済み、従来の構成のように数十回要していた場合と比較して、ホストＣＰＵ３００の処理時間が大幅に短縮される。しかも、電源投入後、即ち、多数のパラメータが記憶テーブル３０７に設定された後には、ビデオ信号源３０１からビデオ信号フォーマットの異なる映像／音声信号がランダムに読み出されて、ビデオ信号フォーマットが動的に切り換わる際には、そのビデオ信号フォーマットの切り換わり時毎に、ホストＣＰＵ３００がレジスタ制御部３０３にアクセスする回数は２回で済むので、従来のようにその切り換わり時毎にホストＣＰＵ３００がレジスタ制御部３０３に数十回程度アクセスを繰り返す必要がなく、ホストＣＰＵ３００の処理時間がより一層に短縮される。
【００５１】
前記記憶テーブル３０７が、不揮発メモリ（Ｆｌａｓｈメモリ等、種類は問わない）で構成される場合には、一度記憶すると電源を落としてもパラメータ値が保持されるので、使用するビデオ信号フォーマットが固定の場合などでは、一度書き込みを行えば、後は電源投入時等にパラメータを書き込みする必要がなく、ホストＣＰＵ３００は更に負荷が軽くなる。
【００５２】
（第２の実施形態）
図３は本発明の第２の実施形態を示す。
【００５３】
同図では、映像信号処理装置５０８において、自動設定制御部５００内に、使用面制御部５０１とセレクタ５０２とを新たに追加すると共に、記憶テーブル５１０〜５１ｍをｍ面用意した構成である。
【００５４】
ホストＣＰＵからレジスタ制御部５０９を通じて、自動設定制御部５００内の使用面制御部５０１に対して、使用する面を通知する。この通知に従い、使用面制御部５０１はセレクタ５０２を制御し、予めパラメータが書き込まれている記憶テーブル５１０〜５１ｍの中で、現在入力されているビデオ信号フォーマットに対応するパラメータが記憶されている記憶テーブルを入力として選択させる。そして、この選択された記憶テーブルからパラメータがパラメータ処理部５０３に渡され、これ等のパラメータがクロック生成部及びビデオ信号処理部に対し適切なタイミングで設定される。
【００５５】
記憶テーブルが１面しかない場合には、ビデオ信号フォーマットが切り換わる度に記憶テーブルを書き換える必要があるのに対し、本実施形態では記憶テーブル５１０〜５１ｍが多面構成であるので、よく使うビデオ信号フォーマットの場合にはパラメータを書き換え変更する必要がなく、頻繁に記憶テーブル５１０〜５１ｍにパラメータを設定する必要がなくなる。
【００５６】
また、新規規格のビデオ信号フォーマットの映像／音声信号が数種類ビデオ信号源３０１に追加格納されている場合には、一部の記憶テーブルに既存ビデオ信号フォーマットのパラメータを記憶したまま、他の記憶テーブルに新規規格のビデオ信号フォーマットのパラメータを格納でき、非常に有用である。
【００５７】
（第３の実施形態）
図４は本発明の第３の実施形態を示す。
【００５８】
同図は、映像信号処理装置内に設けた記憶テーブルに予めパラメータを書き込む場合の方法を示し、ホストアドレス空間にｍ個の記憶テーブルまでの全面をマッピングする方法の一例である。本実施形態では、記憶テーブルが１面のみの場合はｍ＝１とするだけで使用可能である。
【００５９】
ホストＣＰＵが従来のようにパラメータを直接にクロック生成部３０４及びビデオ信号処理部３０５にパラメータを設定する場合のレジスタ領域（本発明の自動設定制御部３０６によるパラメータの自動設定と対比して、以下、「手動設定」という）、即ち、手動設定用レジスタ領域６００に対して、０〜ｎ−１番地までのパラメータがｎ個あるとすると、記憶テーブル１のレジスタ領域６０１のパラメータ１のアドレスがｎ番地となり、パラメータｎのアドレスが２ｎ−１番地となる。記憶テーブル２のレジスタ領域６０２のパラメータ１のアドレスが２ｎ番地となり、パラメータｎのアドレスが３ｎ−１番地となる。つまり、記憶テーブルｍのレジスタ領域６０３のパラメータ１のアドレスがｍ ｘ ｎ番地となり、パラメータｎのアドレスが（ｍ＋１） ｘ ｎ −１番地となる。
【００６０】
前述の方法は、ホストアドレス空間に余裕がある場合には、構造がシンプルになるため有用であり、記憶テーブルに書き込まれているパラメータを簡単に読み出すことが可能である。
【００６１】
（第４の実施形態）
図５は本発明の第４の実施形態を示す。
【００６２】
同図は、映像信号処理装置内に設けた記憶テーブルに予めパラメータを書き込む場合の方法を示し、ホストアドレス空間に記憶領域１面分のみをマッピングする方法の一例である。
【００６３】
同図では、手動設定用レジスタ領域７００に０〜ｎ−１番地までのパラメータがｎ個あるとすると、記憶パラメータレジスタ領域７０１のパラメータ１のアドレスがｎ番地となり、パラメータｎのアドレスが２ｎ−１番地となる。
【００６４】
更に、記憶制御レジスタ領域７０２のアドレス２ｎ番地を記憶面設定領域、２ｎ＋１番地を書き込み許可領域とする。
【００６５】
面ｍを書き込む場合は、記憶パラメータレジスタ領域７０１に書き込みたいパラメータをホストＣＰＵから書き込む。その後、前記レジスタ領域７０２のアドレス２ｎ番地の記憶面設定領域に“ｍ”を設定し、２ｎ＋１番地に書き込み許可設定をする。これにより、セレクタ７０３が記憶テーブルｍ ７０４を選択し、この記憶テーブルｍ ７０４に記憶パラメータレジスタ領域７０１に書き込まれている値が設定される。
【００６６】
前述の方法は、ホストアドレス空間に余裕がない場合には有用である。
【００６７】
（第５の実施形態）
図６は本発明の第５の実施形態を示す。
【００６８】
同図は、映像信号処理装置内に設けた記憶テーブルに予めパラメータを書き込む場合の方法を示し、ホストアドレス空間として手動設定領域と記憶領域とを兼用する方法の一例である。
【００６９】
同図では、パラメータ設定レジスタ領域８００に０〜ｎ−１番地までのパラメータをｎ個をマッピングする。また、記憶制御レジスタ領域８０１を用意する。
【００７０】
通常使用時は、記憶制御レジスタ領域にある記憶面設定を“０”に設定、即ち、手動設定とすると、セレクタ８０２が手動設定領域８０３を選択して使用する。
【００７１】
面ｍを書き込む場合には、パラメータレジスタ領域８００に書き込みたいパラメータをホストＣＰＵから書き込む。その後、記憶制御レジスタ領域８０１のアドレスｎ番地の記憶面設定領域に“ｍ”を設定し、ｎ＋１番地に書き込み許可設定をする。これにより、セレクタ８０２が記憶テーブルｍ ８０４を選択し、記憶テーブルｍ ８０４にパラメータ設定レジスタ領域８００に書き込まれているパラメータ値が設定される。
【００７２】
前述の方法は、ホストアドレス空間に余裕が全くない場合に有用である。
【００７３】
（第６の実施形態）
図７は本発明の第６の実施形態を示す。
【００７４】
同図は、レジスタ制御部９２０内の自動設定制御部９００に使用面制御部９０１とセレクタ９０２とを用意すると共に、記憶テーブル９１０に加えて、固定テーブル９１１を用意した構成を示す。この固定テーブル９１１は、ＲＯＭやＷｉｒｅ Ｌｏｇｉｃ等の書き換え不可能なテーブルであることを特徴とする。既知のビデオ信号フォーマットであれば、予め、固定テーブルにパラメータ値を入れておくことが可能であることに基づく。
【００７５】
新規に追加されたビデオ信号フォーマットの使用時について説明する。ビデオ信号源に新規追加のビデオフォーマットの映像／音声信号が格納されている場合には、その新規追加のビデオフォーマットのパラメータは記憶テーブルｍ ９１０に設定されているものとして説明する。
【００７６】
ホストＣＰＵは、使用面制御部９０１からセレクタ９０２を制御して記憶テーブルｍ ９１０を選択する。これにより、パラメータ処理部９０３には記憶テーブルｍ ９１０に設定されているパラメータが読み出されて、新規に追加されたビデオフォーマットに対応したクロック生成部及びビデオ信号処理部の自動設定を行うことが可能となる。
【００７７】
次に、既知のビデオフォーマットの使用時について説明する。既知のビデオパラメータは固定テーブルｎ ９１１に入っていると仮定すると、ホストＣＰＵは使用面制御部９０１からセレクタ９０２を制御して固定テーブルｎ ９１１を選択する。これにより、パラメータ処理部９０３には固定テーブルｎ ９１１に格納されているパラメータが読み出されて、既知のビデオフォーマットに対応したクロック生成部及びビデオ信号処理部の自動設定を行うことが可能となる。
【００７８】
本実施形態では、固定テーブル９１１を持ち、この固定テーブル９１１に既知のビデオ信号フォーマットのパラメータが格納されているので、これらのパラメータを電源投入時にホストＣＰＵから初期設定する必要がなく、ホストＣＰＵの負荷をより一層に低減することが可能である。
【００７９】
また、固定テーブル９１１は、ＲＡＭ等の記憶素子に比べて小さな回路となるので、ホストＣＰＵの更なる負荷削減及び回路規模の削減が可能である。
【００８０】
（第７の実施形態）
図８は本発明の第７の実施形態を示す。
【００８１】
同図は、自動設定制御部１０００内に、使用パラメータ制御部１００２を設けると共に、レジスタ制御部１０１０内に固定パラメータ１ １００３〜ａ １００４を用意した構成を示す。
【００８２】
前記固定パラメータ１ １００３〜ａ １００４は、ＲＯＭやＷｉｒｅ Ｌｏｇｉｃ等、書き換え不可能なパラメータであることを特徴とする。これ等の固定パラメータ１ １００３〜ａ １００４には、全てのビデオ信号フォーマットで共通なパラメータ値や、一部のビデオ信号フォーマットで共通なパラメータ値が格納される。
【００８３】
前記固定パラメータ１ １００３〜ａ １００４を使用する場合を説明する。使用パラメータ制御部１００２は、パラメータ処理部１００１からパラメータｘが呼び出された場合は固定パラメータ１ １００３を使用すると予め設定され、パラメータｙがパラメータ処理部１００１から呼び出された場合は、固定パラメータａ １００４を使用すると予め設定される。
【００８４】
固定パラメータ１ １００３が自動設定シーケンスで読み出される方法を例に説明する。
【００８５】
自動設定シーケンスが走っている状態において、パラメータ処理部１００１から固定パラメータ１ １００３からの読み出し要求が発行された場合には、使用パラメータ制御部１００２は、パラメータｘの読み込み要求と判断して、固定パラメータ１ １００３の値を読み込み、パラメータ処理部１００１に引き渡して、処理を完了する。
【００８６】
本実施形態では、固定パラメータ１ １００３〜ａ １００４を持つことにより、記憶テーブルや固定テーブルそのもののサイズを削減することが可能である。また、ホストＣＰＵからの初期設定も一部削除することが可能であるので、ホストＣＰＵの負荷低減も可能となる。
【００８７】
尚、本実施形態では、記憶テーブルをｍ個、固定テーブルをｎ個持っている例で説明をしているが、ｍ、ｎは可変であり、ｍ、ｎの値を限定するものではない。また固定テーブルが無い構成でも実施可能である。
【００８８】
（第８の実施形態）
図９は本発明の第８の実施形態を示す。
【００８９】
同図は、固定テーブルａ １１０４の各パラメータを呼び出し、その中の一部のパラメータのみを書き換えた後、その書き換え後のパラメータを含む全パラメータを記憶テーブルｍ １１０３に書き込む方法を例示している。尚、固定テーブルから記憶テーブルに書き換える面の組み合わせは特に限定されず、任意の組み合わせが可能である。
【００９０】
図９において、先ず、記憶制御レジスタ領域１１０１においてセレクタ１１０２が固定テーブルａ １１０４を選択するように設定して、固定テーブルａ １１０４の各パラメータ値をパラメータ設定レジスタ領域１１００に読み込ませる。
【００９１】
その読み込みが完了すると、ホストアドレスが例えばｎ−２番地とｎ−１番地との両パラメータｎ−１、ｎを所望の値に変更する場合には、ホストＣＰＵが先ずホストアドレスがｎ−２番地のパラメータｎ−１を所望値に書き込み、次いでホストアドレスがｎ−１番地のパラメータｎを所望値に書き込む。
【００９２】
そして、変更が必要なパラメータの書き換えが完了したので、次に、記憶制御レジスタ領域１１０１において、セレクタ１１０２が記憶テーブルｍ １１０３を選択するように設定して、前記書き換え後のパラメータを含む全パラメータを記憶テーブルｍ １１０３に書き込む。
【００９３】
前述の方法を採ることにより、新規追加のビデオフォーマットのパラメータが、固定テーブル１ １１０４、ａ １１０４にある既知のビデオ信号フォーマットと値が近い場合等には、ホストＣＰＵが記憶テーブルｍ １１０３にパラメータ値を書き込む回数を削減できるので、ホストＣＰＵの更なる負荷低減が可能となる。
【産業上の利用可能性】
【００９４】
以上説明したように、本発明は、今後スーパーハイビジョン映像や３Ｄ映像等、新規に追加される映像信号フォーマットに対しても、単純な回路構成でもって、必要なパラメータを信号処理部やクロック生成部に自動設定できるようにしたので、セット機器側のホストＣＰＵの負荷を低減でき、結果的に出画時間を短縮できる映像処理装置等として有用である。
【符号の説明】
【００９５】
３００      ホストＣＰＵ
３０１      ビデオ信号源（映像信号源）
３０２      映像信号処理装置
３０３      レジスタ制御部
３０４      クロック生成部
３０５      ビデオ信号処理部（信号処理部）
３０６      自動設定制御部（パラメータ自動設定部）
３０７      記憶テーブル（記憶部）
５００      自動設定制御部
５０１      使用面制御部
５０２      使用面切り替えセレクタ
５０３      パラメータ処理部
９００      自動設定制御部
９０１      使用面制御部
９０２      使用面切り替えセレクタ
９０３      パラメータ処理部
１０００    自動設定制御部
１００１    パラメータ処理部
１００２    使用パラメータ制御部
１１０２    使用面切り替えセレクタ
【手続補正２】
【補正対象書類名】特許請求の範囲
【補正対象項目名】全文
【補正方法】変更
【補正の内容】
【特許請求の範囲】
【請求項１】
映像信号源から映像信号を受け、受けた映像信号に対して所定処理を行う信号処理部を備えた映像信号処理装置において、
前記受けた映像信号の映像信号フォーマットに対応して前記所定処理を行うための複数のパラメータを記憶する記憶部と、
前記記憶部に記憶された複数のパラメータを読み出して前記信号処理部に設定するパラメータ自動設定部とを備えた
ことを特徴とする映像信号処理装置。
【請求項２】
前記請求項１記載の映像信号処理装置において、
前記受けた映像信号の映像信号フォーマットに対応したクロック信号を生成するクロック生成部を有し、
前記記憶部は、前記受けた映像信号の映像信号フォーマットに対応したクロック信号を生成するための複数のパラメータをも記憶し、
前記パラメータ自動設定部は、前記記憶部に記憶された前記クロック信号生成用の複数のパラメータを読み出して前記クロック生成部に設定する
ことを特徴とする映像信号処理装置。
【請求項３】
前記請求項１又は２記載の映像信号処理装置において、
前記映像信号処理部は、ＨＤＭＩ規格に従って受けた映像信号に対して所定処理を行う
ことを特徴とする映像信号処理装置。
【請求項４】
前記請求項１〜３の何れか１項に記載の映像信号処理装置と、
前記映像信号処理装置に接続され、前記映像信号処理装置の記憶部に前記複数のパラメータを出力して記憶させるホストＣＰＵとを備えた
ことを特徴とする映像信号処理システム。
【請求項５】
前記請求項４記載の映像信号処理システムにおいて、
前記映像信号処理装置とホストＣＰＵとは、シリアルバスで接続される
ことを特徴とする映像信号処理システム。
【請求項６】
前記請求項４記載の映像信号処理システムにおいて、
前記ホストＣＰＵは、その負荷が小さいときに、前記記憶部に対して前記複数のパラメータを出力して記憶させる
ことを特徴とする映像信号処理システム。
【請求項７】
前記請求項６記載の映像信号処理システムにおいて、
前記ホストＣＰＵの負荷が小さいときは、電源投入時である
ことを特徴とする映像信号処理システム。
【請求項８】
前記請求項６又は７記載の映像信号処理システムにおいて、
前記ホストＣＰＵは、前記記憶部に対して前記複数のパラメータを出力して記憶させた後、前記パラメータ自動設定部にパラメータの自動設定の開始を指示する
ことを特徴とする映像信号処理システム。
【請求項９】
前記請求項１記載の映像信号処理装置において、
前記記憶部は、不揮発性メモリを含む
ことを特徴とする映像信号処理装置。
【請求項１０】
前記請求項１記載の映像信号処理装置において、
前記記憶部は、記憶テーブルを含み、前記記憶テーブルは１面存在する
ことを特徴とする映像信号処理装置。
【請求項１１】
前記請求項１記載の映像信号処理装置において、
前記記憶部は、記憶テーブルを含み、前記記憶テーブルは多面存在する
ことを特徴とする映像信号処理装置。
【請求項１２】
前記請求項４記載の映像信号処理システムにおいて、
前記記憶部へのパラメータ書き込みの際に使用するホストＣＰＵのアドレス空間は、前記記憶部の全アドレス分がマッピングされている
ことを特徴とする映像信号処理システム。
【請求項１３】
前記請求項４記載の映像信号処理システムにおいて、
前記記憶部は多面分の記憶テーブルを含み、
前記記憶部へのパラメータ書き込みの際に使用するホストＣＰＵのアドレス空間は、前記多面分の記憶テーブルのうち１面分のアドレスがマッピングされている
ことを特徴とする映像信号処理システム。
【請求項１４】
前記請求項４記載の映像信号処理システムにおいて、
前記ホストＣＰＵは、パラメータ自動設定部を使用せず、前記パラメータを直接に前記信号処理部に設定可能であり、
前記記憶部へのパラメータ書き込みの際に使用するホストＣＰＵのアドレス空間は、前記パラメータを直接に前記信号処理部に設定する際のアドレス空間が兼用される
ことを特徴とする映像信号処理システム。
【請求項１５】
前記請求項１記載の映像信号処理装置において、
前記記憶部は、前記受けた映像信号の映像信号フォーマットが既知の映像信号フォーマットである場合のパラメータを記憶し保持する固定パラメータテーブルを持つ
ことを特徴とする映像信号処理装置。
【請求項１６】
前記請求項１５記載の映像信号処理装置において、
前記信号処理部に設定するパラメータを前記固定パラメータテーブルか、この固定パラメータテーブル以外の領域に記憶させるかを選択する
ことを特徴とする映像信号処理装置。
【請求項１７】
前記請求項１５記載の映像信号処理装置において、
前記映像信号源の各映像信号の映像信号フォーマットが複数種類あるとき、その複数種類の映像信号フォーマットに対応するパラメータ間で共通のパラメータは、前記固定パラメータテーブルに記憶される
ことを特徴とする映像信号処理装置。
【請求項１８】
前記請求項１５記載の映像信号処理装置において、
前記固定パラメータテーブルに記憶された複数のパラメータの値を読み出し、その読み出した複数のパラメータのうち一部のパラメータのみを他の値に書き換え、その書き換え後のパラメータを含む全パラメータを前記固定パラメータテーブル以外の記憶部の領域に記憶する
ことを特徴とする映像信号処理装置。
【請求項１９】
映像信号源から映像信号を受けた後、
前記映像信号の映像信号フォーマットに対応して所定処理を行うための複数のパラメータを記憶部から読み出し、
前記読み出した複数のパラメータを前記所定処理を行う信号処理部に設定する
ことを特徴とする映像信号処理方法。
【手続補正３】
【補正対象書類名】図面
【補正対象項目名】全図
【補正方法】変更
【補正の内容】
【図１】
2010086914.tif 000013
【図２】
2010086914.tif 000014
【図３】
2010086914.tif 000015
【図４】
2010086914.tif 000016
【図５】
2010086914.tif 000017
【図６】
2010086914.tif 000018
【図７】
2010086914.tif 000019
【図８】
2010086914.tif 000020
【図９】
2010086914.tif 000021
【図１０】
2010086914.tif 000022
【国際調査報告】
2010086914.tif 000023
2010086914.tif 000024